(57)【要約】【課題】原稿の後端側に生じた影の読み取りが行われても、黒筋画像が出力されるのを抑制することが可能な画像読取装置を提供する。【解決手段】画像読取装置は、読取画像データの副走査方向の最後端位置から予め定められた位置までの後端側範囲に含まれる複数の主走査ラインの中に、所定位置の画素の濃度値が第１閾値濃度よりも濃い値となっている主走査ラインがあれば黒筋があると判断し、所定位置の画素の濃度値が第１閾値濃度よりも濃い値となっている主走査ラインのうち、最後端位置に対して最も離れた主走査ラインを基準ラインに設定し、基準ラインの副走査方向の位置から最後端位置までの範囲に含まれる全画素の濃度値を白に対応する濃度値に置き換える。【選択図】図７
2016086389.tif 000002
【特許請求の範囲】
【請求項１】
原稿を読み取る位置である読取位置に原稿を搬送する原稿搬送ユニットと、
前記読取位置での原稿の読み取り時に前記読取位置よりも原稿搬送方向下流側に配置される光源を含み、前記読取位置に搬送される原稿に前記光源の光を照射し、原稿で反射された光を光電変換することによって原稿の画像データを生成する画像読取部と、
前記画像読取部による原稿の読み取りによって得られた原稿の画像データである読取画像データを画像処理する画像処理部と、を備え、
前記画像処理部は、前記読取画像データの副走査方向の最後端位置から予め定められた位置までの後端側範囲に含まれる複数の主走査ラインの中に、所定位置の画素の濃度値が第１閾値濃度よりも濃い値となっている主走査ラインがあれば、前記読取位置に搬送される原稿の後端側に生じた影を前記画像読取部が読み取った場合に前記読取画像データに出現する黒筋があると判断し、
前記画像処理部は、前記読取画像データに前記黒筋があると判断すると、前記所定位置の画素の濃度値が前記第１閾値濃度よりも濃い値となっている前記後端側範囲内の主走査ラインのうち、前記最後端位置に対して最も離れた主走査ラインを基準ラインに設定し、前記基準ラインの副走査方向の位置から前記最後端位置までの範囲に含まれる全画素の濃度値を白に対応する濃度値に置き換える処理である黒筋除去処理を実行することを特徴とする画像読取装置。
【請求項２】
前記画像処理部は、前記後端側範囲に含まれる複数の主走査ラインのうち、前記最後端位置に対して最も離れた主走査ラインから前記最後端位置に向かう方向に１ラインずつ、前記所定位置の画素の濃度値が前記第１閾値濃度よりも濃い値であるか否かの検知を行い、前記所定位置の画素の濃度値が前記第１閾値濃度よりも濃い値であることを最初に検知した時点で検知対象となっていた主走査ラインを前記基準ラインに設定し、前記黒筋除去処理を実行することを特徴とする請求項１に記載の画像読取装置。
【請求項３】
前記所定位置の画素は、主走査方向の両端に位置する画素であることを特徴とする請求項１または２に記載の画像読取装置。
【請求項４】
前記画像処理部は、前記読取画像データの副走査方向の最先端位置から予め定められた位置までの先端側範囲の画像データに基づき、濃度値ごとの画素数を示す先端側濃度ヒストグラムを生成し、前記第１閾値濃度が前記先端側濃度ヒストグラムのピーク位置の濃度値よりも濃い値となり、かつ、前記先端側範囲内の全画素数に対する前記第１閾値濃度よりも濃度値が濃い画素数の割合が予め定められた割合となるように、前記第１閾値濃度を設定することを特徴とする請求項１〜３のいずれか１項に記載の画像読取装置。
【請求項５】
前記画像処理部は、前記先端側濃度ヒストグラムのピーク位置の濃度値が予め定められた第２閾値濃度よりも濃い値であるときには、前記黒筋除去処理を実行しないことを特徴とする請求項４に記載の画像読取装置。
【請求項６】
前記原稿搬送ユニットは、前記読取位置に配置される白色板を有し、
前記画像処理部は、前記画像読取部による前記白色板の読み取りによって得られた前記白色板の画像データに基づき、濃度値ごとの画素数を示す白色板濃度ヒストグラムを生成し、
前記画像処理部は、前記先端側濃度ヒストグラムのピーク位置の濃度値が前記白色板濃度ヒストグラムのピーク位置の濃度値よりも予め定められた値以上濃い値であるときには、前記黒筋除去処理を実行しないことを特徴とする請求項４に記載の画像読取装置。
【請求項７】
請求項１〜６のいずれか１項に記載の画像読取装置を備えることを特徴とする画像形成装置。
【発明の詳細な説明】
【技術分野】
【０００１】
本発明は、原稿を読み取って原稿の画像データを生成する画像読取装置および画像形成装置に関する。
【背景技術】
【０００２】
従来、原稿を搬送しながらその原稿を読み取る搬送読取の実行が可能な画像読取装置が知られている。このような画像読取装置には、原稿を搬送するための原稿搬送ユニットが備えられる（たとえば、特許文献１参照）。
【０００３】
たとえば、従来の画像読取装置は、搬送読取を実行するとき、図８に示すように、光源１００１やミラー１００２を含む移動ユニットを搬送読取用のコンタクトガラス１００３の下方に移動させる。また、画像読取装置（原稿搬送ユニット）は、コンタクトガラス１００３上の読取位置に原稿Ｄを搬送する。そして、画像読取装置は、読取位置に原稿Ｄの先端が到達すると、光源１００１の光Ｌ１を原稿Ｄに照射し、反射光Ｌ２をイメージセンサーに結像する。これにより、原稿Ｄからの反射光Ｌ２が光電変換され、原稿Ｄの画像データが生成される。
【先行技術文献】
【特許文献】
【０００４】
【特許文献１】特開平１１−７９５１２号公報
【発明の概要】
【発明が解決しようとする課題】
【０００５】
図８に示した従来の構成では、搬送読取時に、読取位置よりも原稿搬送方向下流側にのみ光源１００１が配置される。そして、その状態で、読取位置を通過する原稿Ｄの読み取りが行われる。
【０００６】
この構成の場合、読取位置での原稿Ｄの読取終了タイミングが遅れると、光源１００１からの光Ｌ１が原稿Ｄの後端で遮られることによって原稿Ｄの後端側に生じる影ＳＨの読み取りが行われてしまうので、原稿Ｄの読み取りによって得られた読取画像データに主走査方向に延びる黒筋が出現する。その結果、黒筋に対応する黒筋画像（原稿Ｄの後端側に生じた影ＳＨの画像）が出力される、という不都合が発生する。すなわち、黒筋画像が印刷されたり、黒筋画像が表示されたりする。
【０００７】
本発明は、上記課題を解決するためになされたものであり、原稿の後端側に生じた影の読み取りが行われても、黒筋画像が出力されるのを抑制することが可能な画像読取装置および画像形成装置を提供することを目的とする。
【課題を解決するための手段】
【０００８】
上記目的を達成するため、本発明の画像読取装置は、原稿を読み取る位置である読取位置に原稿を搬送する原稿搬送ユニットと、読取位置での原稿の読み取り時に読取位置よりも原稿搬送方向下流側に配置される光源を含み、読取位置に搬送される原稿に光源の光を照射し、原稿で反射された光を光電変換することによって原稿の画像データを生成する画像読取部と、画像読取部による原稿の読み取りによって得られた原稿の画像データである読取画像データを画像処理する画像処理部と、を備える。画像処理部は、読取画像データの副走査方向の最後端位置から予め定められた位置までの後端側範囲に含まれる複数の主走査ラインの中に、所定位置の画素の濃度値が第１閾値濃度よりも濃い値となっている主走査ラインがあれば、読取位置に搬送される原稿の後端側に生じた影を画像読取部が読み取った場合に読取画像データに出現する黒筋があると判断する。また、画像処理部は、読取画像データに黒筋があると判断すると、所定位置の画素の濃度値が第１閾値濃度よりも濃い値となっている後端側範囲内の主走査ラインのうち、最後端位置に対して最も離れた主走査ラインを基準ラインに設定し、基準ラインの副走査方向の位置から最後端位置までの範囲に含まれる全画素の濃度値を白に対応する濃度値に置き換える処理である黒筋除去処理を実行する。
【０００９】
本発明の構成では、上記のように、原稿の後端側に生じた影を読み取った場合に読取画像データに出現する黒筋があると、黒筋除去処理を実行する。この黒筋除去処理が実行されると、黒筋を成す画素の濃度値が白に対応する濃度値に置き換えられる。すなわち、読取画像データから黒筋が無くなる。これにより、黒筋に対応する黒筋画像（原稿の後端側に生じた影の画像）が出力されるのを抑制することができる。
【発明の効果】
【００１０】
以上のように、本発明では、原稿の後端側に生じた影の読み取りが行われても、黒筋に対応する黒筋画像（原稿の後端側に生じた影の画像）が出力されるのを抑制することができる。
【図面の簡単な説明】
【００１１】
【図１】本発明の一実施形態による複合機の概略図
【図２】本発明の一実施形態による複合機の画像読取部の概略図
【図３】本発明の一実施形態による複合機のハードウェア構成を示すブロック図
【図４】本発明の一実施形態による複合機の画像読取部のハードウェア構成を示すブロック図
【図５】本発明の一実施形態による複合機にて生成される読取画像データ（黒筋が出現した画像データ）の一例を示した図
【図６】本発明の一実施形態による複合機にて生成される先端側濃度ヒストグラムの一例を示した図
【図７】本発明の一実施形態による複合機にて黒筋除去処理を実行するときの制御の流れを説明するためのフローチャート
【図８】原稿の読み取りによって得られる原稿の画像データに黒筋が出現する原因を説明するための図
【発明を実施するための形態】
【００１２】
以下に、本発明の一実施形態について、プリンター機能やコピー機能などを搭載する複合機を例にとって説明する。
【００１３】
＜複合機の全体構成＞
図１に示すように、本実施形態の複合機１００は、原稿搬送ユニット１が装着された画像読取部２と、印刷部３（給紙部４、用紙搬送部５、画像形成部６および定着部７）と、操作パネル８と、を備える。なお、複合機１００は「画像形成装置」に相当し、画像読取部２は「画像読取装置」に相当する。
【００１４】
原稿搬送ユニット１が装着された画像読取部２は、図２に示すように、搬送読取用のコンタクトガラス２０ａおよび載置読取用のコンタクトガラス２０ｂが嵌め込まれたフレーム（読取台）を有する。そして、画像読取部２は、コンタクトガラス２０ａ上を通過する原稿Ｄを読み取る搬送読取を行ったり、コンタクトガラス２０ｂ上に載置された原稿Ｄを読み取る載置読取を行ったりする。
【００１５】
原稿搬送ユニット１は、画像読取部２のフレームに開閉可能（回動可能）に取り付けられる。そして、コンタクトガラス２０ａ上への原稿Ｄの搬送は、原稿搬送ユニット１が行う。具体的には、原稿搬送ユニット１は、原稿セットトレイ１１、原稿排出トレイ１２、給紙ローラー１３、搬送ローラー対１４および白基準板１５（「白色板」に相当）を含む。また、原稿搬送ユニット１には、原稿セットトレイ１１から搬送読取時の読取位置であるコンタクトガラス２０ａ上の位置（以下、読取位置ＲＰと称する）を経由して原稿排出トレイ１２に至る原稿搬送路１０が設けられる。
【００１６】
原稿セットトレイ１１は、読み取り前の原稿Ｄがセットされるトレイであり、原稿排出トレイ１２は、読み取り後の原稿Ｄが排出されるトレイである。給紙ローラー１３は、原稿搬送路１０の最上流側に配置され、原稿セットトレイ１１にセットされた原稿Ｄを原稿搬送路１０に供給する。搬送ローラー対１４は、原稿Ｄの搬送経路に複数配置され、原稿搬送路１０に沿って原稿Ｄを搬送する。搬送ローラー対１４により原稿搬送路１０に沿って搬送される原稿Ｄは、読取位置ＲＰを通過し、最終的に原稿排出トレイ１２に排出される。
【００１７】
白基準板１５は、シェーディング補正で用いる白基準データを取得するためのものである。この白基準板１５は、原稿Ｄの搬送経路の途中の位置に設けられ、原稿搬送ユニット１が閉じられることによってコンタクトガラス２０ａと対面する（読取位置ＲＰに配置される）。そして、白基準データを取得するときには、原稿Ｄが搬送されていない状態で、画像読取部２による白基準板１５の読み取りが行われる。また、搬送読取時には、白基準板１５により、読取位置ＲＰにて搬送中の原稿Ｄがガイドされる。
【００１８】
また、原稿搬送ユニット１には、原稿搬送路１０での原稿Ｄの搬送状態を検知するための原稿検知センサーＤＳが設けられる。なお、原稿検知センサーＤＳの設置数は特に限定されず、また、原稿検知センサーＤＳの設置位置も特に限定されない。たとえば、原稿検知センサーＤＳは、給紙ローラー１３の原稿搬送方向下流側に配置される。
【００１９】
原稿検知センサーＤＳは、たとえば、発光部および受光部を有する透過型の光センサーであり、原稿搬送路１０の内側に突出するアクチュエーターを検知対象とする。検知対象としてのアクチュエーターは、検知位置（アクチュエータが突出する位置）に原稿Ｄの先端が到達すると、原稿Ｄに押されて回動する。そして、アクチュエーターは、検知位置を原稿Ｄの後端が通過しきると、原稿Ｄとの当接が解除されることで逆方向に回動し、元の位置に戻る。したがって、原稿検知センサーＤＳは、検知位置に原稿Ｄが有るときと無いときとで出力値を変化させる。
【００２０】
画像読取部２は、光源２１、イメージセンサー２２、ミラー２３およびレンズ２４を含み、原稿Ｄを光学的に読み取る。これら画像読取部２の各部材は、画像読取部２のフレーム内に配置される。
【００２１】
光源２１は、複数のＬＥＤ素子を有し、原稿Ｄに照射する光を生成する。複数のＬＥＤ素子は、図示しないが、主走査方向にライン状に配列される。そして、光源２１は、搬送読取時には、コンタクトガラス２０ａに向けて光を照射する（コンタクトガラス２０ａを透過した光が原稿Ｄを照射する）。一方で、光源２１は、載置読取時には、コンタクトガラス２０ｂに向けて光を照射する（コンタクトガラス２０ｂを透過した光が原稿Ｄを照射する）。原稿Ｄで反射された反射光は、ミラー２３で反射され、レンズ２４に導かれる。レンズ２４は、反射光を集光する。
【００２２】
イメージセンサー２２は、原稿Ｄで反射された反射光（レンズ２４で集光された光）を受光することにより原稿Ｄをライン単位で読み取る。このイメージセンサー２２は、主走査方向にライン状に並ぶ複数の光電変換素子を有するＣＣＤからなり、反射光を受光すると、ライン単位で画素毎に光電変換して電荷を蓄積する。そして、イメージセンサー２２は、蓄積電荷に応じたアナログ信号を出力する。すなわち、イメージセンサー２２の画素毎のアナログ出力は、反射光の光量に応じて変化する。
【００２３】
また、光源２１およびミラー２３は、主走査方向と直交する副走査方向に移動可能な移動枠２５に取り付けられる。移動枠２５は、ワイヤー２６の一端に連結される。このワイヤー２６の他端は、巻取ドラム２７に連結される。これにより、巻取ドラム２７が回転することによって移動枠２５が副走査方向に移動する。すなわち、光源２１が副走査方向に移動する。
【００２４】
搬送読取時には、移動枠２５（光源２１）は、コンタクトガラス２０ａの下方で静止する。このとき、光源２１は、読取位置ＲＰに対して原稿搬送方向下流側に配置される（図２に示す位置）。そして、光源２１は、コンタクトガラス２０ａ上を通過する原稿Ｄを照射する。また、イメージセンサー２２は、原稿Ｄで反射された反射光の光電変換を連続して繰り返し行う。これにより、原稿Ｄの読み取りがライン単位で行われる。
【００２５】
載置読取時には、移動枠２５（光源２１）は、装置正面から見て左から右に向かう方向に移動する。そして、光源２１は、副走査方向に移動している最中に、コンタクトガラス２０ｂ上に載置された原稿Ｄを照射する。このとき、イメージセンサー２２は、原稿Ｄで反射された反射光の光電変換を連続して繰り返し行う。これにより、原稿Ｄの読み取りがライン単位で行われる。
【００２６】
図１に戻って、印刷部３は、給紙部４、用紙搬送部５、画像形成部６および定着部７によって構成される。そして、印刷部３は、用紙搬送路３０に沿って用紙Ｐを搬送し、たとえば、画像読取部２による原稿Ｄの読み取りによって得られた原稿Ｄの画像データに基づく画像を用紙Ｐに印刷して出力する。
【００２７】
給紙部４は、用紙カセット４１に収容された用紙Ｐを用紙搬送路３０に供給する。この給紙部４は、ピックアップローラー４２および給紙ローラー対４３を含む。ピックアップローラー４２は、用紙カセット４１に収容された用紙Ｐを給紙ローラー対４３の給紙ニップに送り、給紙ローラー対４３は、給紙ニップに進入した用紙Ｐを用紙搬送路３０に供給する。
【００２８】
用紙搬送部５は、用紙搬送路３０に供給された用紙Ｐを転写ニップおよび定着ニップの順番で搬送し、排出トレイ５１に排出する。この用紙搬送部５は、用紙搬送路３０に沿って配置された搬送ローラー対５２を複数含む。
【００２９】
画像形成部６は、画像データに基づきトナー像を形成し、そのトナー像を用紙Ｐに転写する。この画像形成部６は、感光体ドラム６１、帯電装置６２、露光装置６３、現像装置６４、転写ローラー６５およびクリーニング装置６６を含む。
【００３０】
画像形成時には、感光体ドラム６１が回転し、その感光体ドラム６１の表面を帯電装置６２が所定電位に帯電させる。また、露光装置６３は、感光体ドラム６１の表面を走査露光し、感光体ドラム６１の表面に静電潜像を形成する。現像装置６４は、感光体ドラム６１の表面に形成された静電潜像にトナーを供給して現像する。
【００３１】
転写ローラー６５は、感光体ドラム６１の表面に圧接し、感光体ドラム６１との間で転写ニップを形成する。これにより、転写ニップに用紙Ｐが進入すると、感光体ドラム６１の表面のトナー像が用紙Ｐに転写される。クリーニング装置６６は、用紙Ｐへのトナー像の転写が終わると、感光体ドラム６１の表面に残留するトナーなどを除去する。
【００３２】
定着部７は、用紙Ｐに転写されたトナー像を加熱および加圧して定着させる。定着部７は、加熱ローラー７１および加圧ローラー７２を含む。加熱ローラー７１は、発熱源を内蔵する。加圧ローラー７２は、加熱ローラー７１に圧接し、加熱ローラー７１との間で定着ニップを形成する。そして、トナー像が転写された用紙Ｐは、定着ニップを通過することにより、加熱および加圧される。
【００３３】
操作パネル８は、ジョブに関する設定値の入力を受け付けるとともに、ジョブを開始するための開始操作を受け付ける。この操作パネル８は、タッチパネル付きの液晶表示部８１を含む。液晶表示部８１は、ジョブに関する設定値の入力を受け付けるためのソフトキーやメッセージなどを表示する。また、操作パネル８には、スタートキーやテンキーなどのハードキー８２も設けられる。
【００３４】
＜複合機のハードウェア構成＞
図３に示すように、複合機１００は、主制御部１１０を備える。主制御部１１０は、メインＣＰＵ１１１およびメイン記憶部１１２を含む。メイン記憶部１１２は、制御用のプログラムおよびデータを記憶する。そして、主制御部１１０は、制御用のログラムおよびデータに基づき、複合機１００の全体制御を行う。
【００３５】
また、主制御部１１０には、スキャン制御部１２０が接続される。スキャン制御部１２０は、図４に示すように、スキャンＣＰＵ１２１、スキャン記憶部１２２および画像処理部１２３を含む。このスキャン制御部１２０は、主制御部１１０から指示を受け、原稿搬送ユニット１の原稿搬送動作および画像読取部２の画像読取動作を制御する。
【００３６】
具体的には、スキャン制御部１２０は、給紙ローラー１３および搬送ローラー対１４を回転させるための搬送モーターＭ１と接続され、給紙ローラー１３および搬送ローラー対１４を適切に回転させる。また、スキャン制御部１２０は、巻取ドラム２７を回転させるための巻取モーターＭ２と接続され、巻取ドラム２７を適切に回転させる。すなわち、スキャン制御部１２０は、移動枠２５（光源２１）を副走査方向に適切に移動させる。さらに、スキャン制御部１２０には、光源２１およびイメージセンサー２２も接続される。そして、スキャン制御部１２０は、光源２１およびイメージセンサー２２の各動作を制御する。
【００３７】
スキャン制御部１２０の画像処理部１２３は、増幅回路やＡ／Ｄ変換回路を含み、原稿Ｄの読み取りによって得られた画像データ（イメージセンサー２２のアナログ出力）を増幅し、デジタルの画像データに変換する。また、画像処理部１２３は、シェーディング補正や、後述する黒筋除去処理などを行い、処理済みの画像データを主制御部１１０に出力する。そして、主制御部１１０は、スキャン制御部１２０から画像データを受けると、たとえば、露光用の画像データ（露光装置６３による露光を制御するためのデータ）を生成する。
【００３８】
また、スキャン制御部１２０は、原稿検知センサーＤＳと接続される。そして、スキャン制御部１２０は、原稿検知センサーＤＳの出力値に基づき、ジャムが発生したか否かを検知したり、原稿Ｄの搬送タイミングや原稿Ｄの読取タイミングを計ったりする。
【００３９】
たとえば、スキャン制御部１２０は、原稿検知センサーＤＳの検知位置にて原稿Ｄの先端到達を検知してから、所定時間が経過したとき、画像読取部２による原稿Ｄの読み取りを開始させる。なお、所定時間というのは、原稿Ｄの先端が原稿検知センサーＤＳの検知位置に到達してから読取位置ＲＰに到達するまでの予定時間であり、原稿検知センサーＤＳの検知位置から読取位置ＲＰまでの搬送距離と搬送速度とに基づき求められる。
【００４０】
また、スキャン制御部１２０は、原稿検知センサーＤＳの検知位置での原稿Ｄの先端検知から後端検知までの時間（原稿検知センサーＤＳの出力値が原稿Ｄの有りを示すレベルになっている時間）に基づき、原稿Ｄの搬送方向の長さを検知する。そして、スキャン制御部１２０は、原稿Ｄの後端が読取位置ＲＰを通過するタイミングで、画像読取部２による原稿Ｄの読み取りを終了させる。
【００４１】
図３に戻って、主制御部１１０には、通信部１３０が接続される。通信部１３０は、たとえば、パーソナルコンピューターやファクシミリなどの外部機器２００と通信可能に接続される。そして、通信部１３０は、主制御部１１０から指示を受け、外部機器２００との間でデータを送受信する。
【００４２】
また、主制御部１１０は、操作パネル８と接続される。そして、主制御部１１０は、操作パネル８の表示動作を制御したり、操作パネル８に対して行われた操作を検知したりする。
【００４３】
＜黒筋除去処理＞
画像読取部２により搬送読取が行われるときには、図２に示したように、読取位置ＲＰよりも原稿搬送方向下流側に光源２１が配置される（読取位置ＲＰよりも原稿搬送方向上流側には光源２１は配置されない）。このため、読取終了タイミングが遅れると、図８に示した従来の構成と同様、光源２１からの光が原稿Ｄの後端で遮られることによって原稿Ｄの後端側に生じる影を画像読取部２が読み取ってしまう。結果として、図５に示すように、画像読取部２による原稿Ｄの読み取りによって得られた画像データ（以下、単に読取画像データと称する）の中に、主走査方向に延びる黒筋ＢＬが出現してしまう。
【００４４】
たとえば、原稿検知センサーＤＳの応答性が悪ければ、原稿Ｄの搬送方向の長さを正確に検知することができない。このため、読取位置ＲＰを原稿Ｄの後端が実際に通過するタイミングよりも読取終了タイミングが遅くなることがある。また、このようなタイミングのずれは、搬送ローラー対１４のローラー径や搬送モーターＭ１の回転速度が設計値に対して大きくなっている場合（搬送速度が設計値よりも速くなっている場合）などにも発生する。
【００４５】
このため、本実施形態では、黒筋ＢＬを除去するための処理である黒筋除去処理の実行が可能となっている。なお、黒筋除去処理は、画像処理部１２３によって１ページごとに行われる。
【００４６】
具体的には、画像処理部１２３は、１ページ分の読み取りが終わると、読取画像データの中に黒筋ＢＬが有るか否かを判断する。この判断を行うため、画像処理部１２３は、黒筋ＢＬの有無を判断するための第１閾値濃度を設定する。
【００４７】
画像処理部１２３は、第１閾値濃度を設定するとき、読取画像データの副走査方向の最先端位置ＦＰ１から予め定められた位置ＦＰ２までの範囲を先端側範囲２０Ｆ（図５参照）として設定する。特に限定されないが、たとえば、副走査方向の最先端位置ＦＰ１から後端側に向かって２ｍｍまでの範囲が先端側範囲２０Ｆとされる。なお、原稿Ｄの先端側範囲２０Ｆに対応する部分は、通常は余白となる場合が多い。したがって、先端側範囲２０Ｆは、原稿Ｄの先端側の余白に対応する部分であるとも言える。
【００４８】
先端側範囲２０Ｆを設定すると、画像処理部１２３は、先端側範囲２０Ｆの画像データに基づき、濃度値ごとの画素数を示す先端側濃度ヒストグラム（図６参照）を生成する。その後、画像処理部１２３は、先端側濃度ヒストグラムのピーク位置の濃度値よりも所定値以上濃い濃度値を第１閾値濃度に設定する。具体的には、画像処理部１２３は、先端側範囲２０Ｆ内の全画素数に対する第１閾値濃度よりも濃度値が濃い画素数の割合が予め定められた割合（たとえば、５％以下）となるように、第１閾値濃度を設定する。図６では、ピーク位置の濃度を「ＤPEAK」で示し、第１閾値濃度を「ＤTH」で示す。
【００４９】
また、画像処理部１２３は、読取画像データの副走査方向の最後端位置ＲＰ１（すなわち、１ページ分の主走査ラインのうち最終の主走査ラインの位置）から予め定められた位置ＲＰ２までの範囲を後端側範囲２０Ｒ（図５参照）として設定する。特に限定されないが、たとえば、副走査方向の最後端位置ＲＰ１から先端側に向かって５ｍｍまでの範囲が後端側範囲２０Ｒとされる。
【００５０】
そして、画像処理部１２３は、後端側範囲２０Ｒに含まれる複数の後端側の主走査ラインの中に、所定位置の画素の濃度値が第１閾値濃度よりも濃い値となっている主走査ラインがあれば、読取画像データに黒筋ＢＬがあると判断する。
【００５１】
画像処理部１２３は、読取画像データに黒筋ＢＬがあると判断すると、所定位置の画素の濃度値が第１閾値濃度よりも濃い値となっている後端側範囲２０Ｒ内の主走査ラインのうち、副走査方向の最後端位置ＲＰ１に対して最も離れた主走査ラインを基準ラインに設定する。そして、画像処理部１２３は、黒筋除去処理として、基準ラインの副走査方向の位置から最後端位置ＲＰ１までの範囲に含まれる全画素の濃度値を白に対応する濃度値に置き換える処理を実行する。
【００５２】
これにより、読取画像データからは黒筋ＢＬが除去される。このため、当該読取画像データに基づき出力される画像（用紙Ｐに印刷される画像や外部機器２００に表示される画像など）には、原稿Ｄの後端側に生じた影の画像（黒筋ＢＬに対応する黒筋画像）は出現しない。
【００５３】
たとえば、画像処理部１２３は、読取画像データの後端側範囲２０Ｒに含まれる複数の主走査ラインのうち、副走査方向の最後端位置ＲＰ１に対して最も離れた主走査ライン（すなわち、予め定められた位置ＲＰ２に存在する主走査ライン）から最後端位置ＲＰ１に向かう方向に１ラインずつ、所定位置の画素の濃度値が第１閾値濃度よりも濃い値であるか否かの濃度検知を行う。そして、画像処理部１２３は、所定位置の画素の濃度値が第１閾値濃度よりも濃い値であることを最初に検知したとき、その時点で濃度検知の対象となっていた主走査ラインを基準ラインに設定する。
【００５４】
なお、原稿Ｄの後端側に生じた影を画像読取部２が読み取った場合には、主走査方向の一端画素（最先端画素）から他端画素（最後端画素）にわたって延びるように黒筋ＢＬが出現する。すなわち、主走査方向の一端画素および他端画素の各濃度値が第１閾値濃度よりも濃い値となる。そこで、画像処理部１２３は、後端側範囲２０Ｒに含まれる複数の主走査ラインの濃度検知を順番に行うとき、主走査方向の両端画素の間に位置する画素は検知対象とせず、主走査方向の両端に位置する画素のみを検知対象とする。
【００５５】
また、画像処理部１２３は、基準ラインとすべき主走査ラインを検知したとき、その時点で濃度検知を終了する。すなわち、画像処理部１２３は、基準ラインとすべき主走査ラインを検知したとき、後端側範囲２０Ｒ内に濃度検知を行っていない主走査ラインが残っていても、その残っている主走査ラインについては濃度検知を行わない。
【００５６】
ここで、原稿Ｄの下地濃度が薄い場合には、黒筋ＢＬに対応する黒筋画像（原稿Ｄの後端側に生じた影の画像）が出力されると、黒筋画像が強調されるので、黒筋画像が目立ってしまう。しかし、原稿Ｄの下地濃度が濃い場合には、黒筋画像が出力されても、黒筋画像はそれほど目立たない。したがって、原稿Ｄの下地濃度が濃い場合には、黒筋除去処理を敢えて行う必要はない。このため、画像処理部１２３は、原稿Ｄの下地濃度に基づき、黒筋除去処理を実行するか否かを判断する。この判断は、特に限定されないが、後述の第１の方法または第２の方法によりなされる。
【００５７】
第１の方法では、画像処理部１２３は、１ページ分の読み取りが終わると、先端側濃度ヒストグラムのピーク位置の濃度値（図６参照）と予め定められた第２閾値濃度とを比較する。その結果、先端側濃度ヒストグラムのピーク位置の濃度値が第２閾値濃度よりも濃い値であるとき、画像処理部１２３は、黒筋除去処理を実行する条件（以下、処理実行条件と称する）が満たされていないと判断し、黒筋除去処理は実行しない。
【００５８】
なお、第２閾値濃度を設定するときには、たとえば、意図的に黒筋ＢＬが出現するように原稿Ｄの読み取りを行って黒筋ＢＬの濃度値を取得する。そして、黒筋ＢＬの濃度値よりも薄い濃度値を第２閾値濃度とする。一例として、８ビット階調（２５６階調）の場合には、黒筋ＢＬの濃度値よりも２０階調分薄い濃度値が第２閾値濃度とされる。このようにして設定された第２閾値濃度は、スキャン記憶部１２２に記憶される。
【００５９】
第２の方法では、画像処理部１２３は、白基準板１５の画像データに基づき、濃度値ごとの画素数を示す白色板濃度ヒストグラムを生成する。なお、白基準板１５の画像データは、たとえば、電源投入時など予め定められた時点に、画像読取２による白基準板１５の読み取りによって生成される。
【００６０】
そして、画像処理部１２３は、１ページ分の読み取りが終わると、先端側濃度ヒストグラムのピーク位置の濃度値（図６参照）と白色板濃度ヒストグラムのピーク位置の濃度値とを比較する。その結果、先端側濃度ヒストグラムのピーク位置の濃度値が白色板濃度ヒストグラムのピーク位置の濃度値よりも予め定められた値以上濃い値であるとき、処理実行条件が満たされていないと判断し、黒筋除去処理は実行しない。一例として、８ビット階調（２５６階調）の場合には、画像処理部１２３は、先端側濃度ヒストグラムのピーク位置の濃度値が白色板濃度ヒストグラムの濃度値よりも濃い値であり、かつ、各ピーク位置の濃度値の階調差が１７０以上のとき、処理実行条件が満たされていないと判断する。
【００６１】
以下に、図７に示すフローチャートを参照して、黒筋除去処理を実行するときの制御の流れについて説明する。なお、図７に示すフローチャートは、１ページ分の読取画像データが生成されるとスタートする。
【００６２】
ステップＳ１において、画像処理部１２３は、読取画像データの副走査方向の最先端位置ＦＰ１から予め定められた位置ＦＰ２までの範囲を先端側範囲２０Ｆとして設定する。また、ステップＳ２において、画像処理部１２３は、先端側範囲２０Ｆの画像データに基づき、濃度値ごとの画素数を示す先端側濃度ヒストグラムを生成する。このとき、画像処理部１２３は、先端側濃度ヒストグラムのピーク位置の濃度値を判別する。
【００６３】
そして、ステップＳ３において、画像処理部１２３は、先端側濃度ヒストグラムのピーク位置の濃度値に基づき、処理実行条件（黒筋除去処理を実行する条件として予め定められた条件）が満たされているか否かを判断する。その結果、処理実行条件が満たされていれば、ステップＳ４に移行し、処理実行条件が満たされていなければ、本フローは終了する。
【００６４】
ステップＳ４に移行すると、画像処理部１２３は、先端側濃度ヒストグラムに基づき、第１閾値濃度を設定する。また、ステップＳ５において、画像処理部１２３は、読取画像データの副走査方向の最後端位置ＲＰ１から予め定められた位置ＲＰ２までの範囲を後端側範囲２０Ｒとして設定する。続いて、ステップＳ６において、画像処理部１２３は、後端側範囲２０Ｒに含まれる複数の主走査ラインの中から、濃度検知の検知対象とする主走査ラインを設定する。
【００６５】
そして、ステップＳ７において、画像処理部１２３は、検知対象として設定した主走査ラインについて、所定位置の画素の濃度値が第１閾値濃度よりも濃い値であるか否かを検知する。その結果、所定位置の画素の濃度値が第１閾値濃度よりも濃い値でなければ、ステップＳ８に移行する。
【００６６】
ステップＳ８に移行すると、画像処理部１２３は、後端側範囲２０Ｒ内に濃度検知を行っていない未検知の主走査ラインが存在するか否かを判断する。その結果、未検知の主走査ラインが存在していなければ、本フローは終了する。
【００６７】
ステップＳ８において、未検知の主走査ラインが存在すると画像処理部１２３が判断した場合には、ステップＳ６に戻る。ステップＳ８からステップＳ６に戻ると、画像処理部１２３は、濃度検知の検知対象とする主走査ラインを新たに設定する。このとき、画像処理部１２３は、直近に検知対象としていた主走査ラインに対して副走査方向の最後端位置ＲＰ１に向かって１ライン分ずれた主走査ラインを新たな検知対象とする。
【００６８】
以降、ステップＳ８からステップＳ６に戻る度に、直近に検知対象となっていた主走査ラインに対して副走査方向の最後端位置ＲＰ１に向かって１ライン分ずれた主走査ラインが新たな検知対象とされ、ステップＳ７の濃度検知が繰り返される。そして、ステップＳ７において、所定位置の画素の濃度値が第１閾値濃度よりも濃い値であることを画像処理部１２３が検知すれば、ステップＳ９に移行する。
【００６９】
ステップＳ９に移行すると、画像処理部１２３は、ステップＳ７で検知対象となっていた主走査ラインを基準ラインに設定する。そして、ステップＳ１０において、画像処理部１２３は、黒筋除去処理を実行する。すなわち、画像処理部１２３は、基準ラインの副走査方向の位置から最後端位置ＲＰ１までの範囲に含まれる全画素の濃度値を白に対応する濃度値に置き換える。
【００７０】
本実施形態の複合機１００は、上記のように、原稿Ｄの後端側に生じた影を読み取った場合に読取画像データに出現する黒筋ＢＬがあると、黒筋除去処理を実行する。この黒筋除去処理が実行されると、黒筋ＢＬを成す画素の濃度値が白に対応する濃度値に置き換えられる。すなわち、読取画像データから黒筋ＢＬが無くなる。これにより、黒筋ＢＬに対応する黒筋画像（原稿Ｄの後端側に生じた影の画像）が出力されるのを抑制することができる。
【００７１】
また、本実施形態では、上記のように、画像処理部１２３は、読取画像データの後端側範囲２０Ｒに含まれる複数の主走査ラインのうち、副走査方向の最後端位置ＲＰ１に対して最も離れた主走査ライン（予め定められた位置ＲＰ２に存在する主走査ライン）から最後端位置ＲＰ１に向かう方向に１ラインずつ、所定位置の画素の濃度値が第１閾値濃度よりも濃い値であるか否かの検知を行う。そして、画像処理部１２３は、所定位置の画素の濃度値が第１閾値濃度よりも濃い値であることを最初に検知した時点で検知対象となっていた主走査ラインを基準ラインに設定し、黒筋除去処理を実行する。このように構成すれば、所定位置の画素の濃度値が第１閾値濃度よりも濃い値となっている主走査ラインを最初に検知した時点で、未検知の主走査ラインが残っていても、その主走査ラインについては、所定位置の画素の濃度値が第１閾値濃度よりも濃い値であるか否かの検知を行わなくてもよくなる。
【００７２】
また、本実施形態では、上記のように、所定位置の画素（濃度値が第１閾値濃度よりも濃い値であるか否かの検知を行う画像）が主走査方向の両端に位置する画素とされる。ここで、原稿Ｄの後端側に生じた影を読み取った場合には、主走査方向の一端画素（最先端画素）から他端画素（最後端画素）にわたって延びるように黒筋ＢＬが出現する。また、通常では、原稿Ｄの主走査方向の両端部分は余白（画像が存在しない部分）となっている。このため、後端側範囲２０Ｒ内の或る主走査ラインの主走査方向の両端に位置する画素の濃度値が第１閾値濃度よりも濃い値となっている場合には、当該主走査ラインは黒筋ＢＬを成すラインであると言える。したがって、主走査方向の両端に位置する画素を検知対象とすれば、確実に、黒筋ＢＬの有無を判断することができる。
【００７３】
また、本実施形態では、上記のように、画像処理部１２３は、読取画像データの副走査方向の最先端位置ＦＰ１から予め定められた位置ＦＰ２までの先端側範囲２０Ｆの画像データに基づき、濃度値ごとの画素数を示す先端側濃度ヒストグラム（図６参照）を生成する。そして、画像処理部１２３は、第１閾値濃度が先端側濃度ヒストグラムのピーク位置の濃度値よりも濃い値となり、かつ、先端側範囲２０Ｆ内の全画素数に対する第１閾値濃度よりも濃度値が濃い画素数の割合が予め定められた割合となるように、第１閾値濃度を設定する。
【００７４】
ここで、図６に示したように、先端側範囲２０Ｆの濃度値（すなわち、原稿Ｄの下地濃度）はばらついており、先端側濃度ヒストグラムのピーク位置の濃度値よりも若干濃い濃度値（たとえば、１〜２段階濃い濃度値）の画素は多数存在する。したがって、たとえば、後端側範囲２０Ｒ内の或る主走査ラインの所定位置の画素（濃度値が第１閾値濃度よりも濃い値であるか否かの検知を行う画像）の濃度値がピーク位置の濃度値に対して１〜２段階だけ濃い値となる場合がある。この場合、先端側濃度ヒストグラムのピーク位置の濃度値が第１閾値濃度に設定されていると、読取画像データに黒筋ＢＬが出現していないにもかかわらず、当該主走査ラインの検知時点で黒筋ＢＬがあると判断される、という不都合が発生する。このような不都合の発生を抑制するため、先端側濃度ヒストグラムのピーク位置の濃度値よりも所定値以上濃い濃度値を第１閾値濃度に設定するのが好ましい。
【００７５】
また、本実施形態では、上記のように、画像処理部１２３は、先端側濃度ヒストグラムのピーク位置の濃度値が第２閾値濃度よりも濃い値であるときには、黒筋除去処理を実行しない。あるいは、画像処理部１２３は、画像読取部２による白基準板１５（白色板）の読み取りによって得られた白基準板１５の画像データに基づき、濃度値ごとの画素数を示す白色板濃度ヒストグラムを生成する。そして、画像処理部１２３は、先端側濃度ヒストグラムのピーク位置の濃度値が白色板濃度ヒストグラムのピーク位置の濃度値よりも予め定められた値以上濃い値であるときには、黒筋除去処理を実行しない。すなわち、黒筋画像が出力されても、黒筋画像がそれほど目立たない場合には、黒筋除去処理を実行しない。これにより、黒筋除去処理を実行しない分、原稿Ｄの読み取り時に行う画像処理が減るので、画像処理の処理速度の低下を抑制することができる。なお、本実施形態では、読取位置ＲＰを通過する原稿Ｄをガイドする白色板がシェーディング補正用の白基準板を兼ねているが、シェーディング補正用の白基準板を白色板とは別個に設けてもよい。
【００７６】
今回開示された実施形態は、すべての点で例示であって、制限的なものではないと考えられるべきである。本発明の範囲は、上記実施形態の説明ではなく特許請求の範囲によって示され、さらに、特許請求の範囲と均等の意味および範囲内でのすべての変更が含まれる。
【符号の説明】
【００７７】
１  原稿搬送ユニット
２  画像読取部（画像読取装置）
１５  白基準板（白色板）
２１  光源
１００  複合機（画像形成装置）
１２２  スキャン記憶部（記憶部）
１２３  画像処理部
ＢＬ  黒筋
ＲＰ  読取位置
【図１】
2016086389.tif 000003
【図２】
2016086389.tif 000004
【図３】
2016086389.tif 000005
【図４】
2016086389.tif 000006
【図５】
2016086389.tif 000007
【図６】
2016086389.tif 000008
【図７】
2016086389.tif 000009
【図８】
2016086389.tif 000010